(57)【要約】【課題】いろいろな重さのビデオカメラやフィルムカメラに対応できるビデオカメラ又はフィルムカメラ用防振装置を提供する。【解決手段】雲台側の底板３ａを、三脚側の底板３ｃの上をすり動くように間を離して取り付け、磁石４を雲台側の底板と三脚側の底板の各対向面に引き合うように配置して、磁石の引き合う力によって水平方向の小さな揺れを吸収させる。そして、磁石を対向する磁石との間隔を調整できるようにネジ付けして、ネジを回してビデオカメラやフィルムカメラの重さに応じて磁石の引き合う力を調整する。さらに、天板２と雲台側の底板の各対向面に対向面に対して垂直に設けた複数の支柱５を構成する複数の支柱部材の間にバネ６を差し入れて、バネに垂直方向の小さな揺れを吸収させる。そして、支柱部材の長さを違えて、天板を反時計回りに１２０度ずつ回転させてビデオカメラやフィルムカメラの重さに応じて支柱がバネと接する本数を変える。【選択図】図２
0003169716.tif 000002
【実用新案登録請求の範囲】
【請求項１】
雲台と三脚との間に取り付けられるビデオカメラ又はフィルムカメラ用防振装置であって、
雲台を取り付ける天板と、
三脚に取り付けられる３枚重ねの底板と、
３枚重ねの底板のうち雲台側の底板と三脚側の底板の各対向面に、引き合うように配置された磁石と、
天板及び底板の各対向面に、対向面に対して垂直に設けられた複数の同じ長さの支柱とを有し、
前記３枚重ねの底板のうち雲台側の底板が、三脚側の底板の上をすり動くように間を離して取り付けられ、
前記磁石が、対向する磁石との間隔を調整できるようにネジ付けされていることを特徴とするビデオカメラ又はフィルムカメラ用防振装置。
【請求項２】
前記支柱が、各支柱の間で長さが違う複数の支柱部材から成り、支柱部材の間に弾性体が差し入れられていることを特徴とする請求項１に記載のビデオカメラ又はフィルムカメラ用防振装置。
【考案の詳細な説明】
【技術分野】
【０００１】
この考案は、雲台と三脚との間に取り付けられる防振装置に関し、特にいろいろな重さのビデオカメラやフィルムカメラに対応できるビデオカメラ又はフィルムカメラ用防振装置に関する。
【背景技術】
【０００２】
ビデオカメラ又はフィルムカメラ用防振装置としては、テレビカメラと三脚（正確には雲台）との間に取り付けられる防振装置を、テレビカメラに加わる前後左右の振動を検出する角速度センサーと、テレビカメラを三脚に対して振動を打ち消す方向に揺動させる圧電素子で構成することで、テレビカメラに加わる振動によって生じる像ぶれを防ぐようにしたものが提案されている（例えば、特許文献１参照）。
【０００３】
別のビデオカメラ又はフィルムカメラ用防振装置としては、レンズを三脚に取り付けるための三脚座を、三脚座脚部と三脚座台部の間に弾性部材を組み込んで構成することで、三脚から伝わる振動を弾性部材が吸収して、結像画面のぶれを防ぐようにしたものが提案されている（例えば、特許文献２参照）。このビデオカメラ又はフィルムカメラ用防振装置では、弾性部材の硬度を選択することで、いろいろな重さのレンズに対応できるようにされている。
【先行技術文献】
【特許文献】
【０００４】
【特許文献１】特開平９−７４５１５号公報（段落０００５、図１）
【特許文献２】特開平９−７２４９０号公報（段落０００６、図１）
【考案の概要】
【考案が解決しようとする課題】
【０００５】
しかしながら、前記特許文献１に係るビデオカメラ又はフィルムカメラ用防振装置では、防振装置を角速度センサーと圧電素子で構成しているために、電源が必要で、構成も複雑になってしまう。
【０００６】
前記特許文献２に係るビデオカメラ又はフィルムカメラ用防振装置では、三脚座脚部と三脚座台部の間に組み込んだ弾性部材の硬度を選択することで、いろいろな重さのレンズに対応できるようにされているために、例えば撮影現場で異なる重さのレンズに取り替えようとすると、取り替え用に異なる硬度の弾性部材を撮影現場に携行しておかなくてはならず、また取り替えた弾性部材をなくさないように撮影現場から持ち帰らなくてならず煩雑である。
【０００７】
そこで、この考案では、前記した課題を解決し、電源が不要で構成も簡素で、かつ弾性部材を取り替えることなく、いろいろな重さのビデオカメラやフィルムカメラに対応できるビデオカメラ又はフィルムカメラ用防振装置を提供することを目的とする。
【課題を解決するための手段】
【０００８】
前記課題を解決するため、請求項１に係る考案では、雲台と三脚との間に取り付けられるビデオカメラ又はフィルムカメラ用防振装置を、雲台を取り付ける天板と、三脚に取り付けられる３枚重ねの底板と、３枚重ねの底板のうち雲台側の底板と三脚側の底板の各対向面に引き合うように配置された磁石とを有して構成し、３枚重ねの底板のうち雲台側の底板を、三脚側の底板の上をすり動くように間を離して取り付けた。そして、磁石を、対向する磁石との間隔を調整できるようにネジ付けした。
【０００９】
請求項２に係る考案では、天板及び底板の各対向面に対向面に対して垂直に設けた複数の同じ長さの支柱を、複数の支柱部材で構成し、支柱部材の間に弾性体を差し入れた。そして、支柱部材の長さを、各支柱の間で違えた。
【考案の効果】
【００１０】
請求項１に係る考案によれば、３枚重ねの底板のうち雲台側の底板を、三脚側の底板の上をすり動くように間を離して取り付けたので、三脚が水平方向に小さく揺れ動いても、ビデオカメラやフィルムカメラは例えばだるま落としのように慣性の法則に従って静止した状態を続ける。そして、請求項１に係る考案によれば、磁石を３枚重ねの底板のうち雲台側の底板と三脚側の底板の各対向面に引き合うように配置したので、磁石の間隔を三脚が水平方向に小さく揺れ動いても元の位置に戻す力（以下、復元力という）を保（たも）てるように設定すると、磁石の引き合う力によって水平方向の小さな揺れが吸収される。そのため、三脚が水平方向に小さく揺れ動いても、ビデオカメラやフィルムカメラが水平方向に揺れるのを防ぐことができる。
【００１１】
また、請求項１に係る考案によれば、磁石を対向する磁石との間隔を調整できるようにネジ付けしたので、そのネジを回して磁石の間隔を変えて、磁石の引き合う力を調整することができる。そのため、ビデオカメラやフィルムカメラの重さに応じて磁石の間隔を調整すると、例えば重いビデオカメラほど磁石の間隔を短くして、磁石の引き合う力を強めると、復元力を保たせながら、カメラマンがビデオカメラを軽く動かせるようにビデオカメラを三脚に取り付けられるので、防振装置をいろいろな重さのビデオカメラやフィルムカメラに対応させることができる。ここで、従来の防振装置では、バネによって復元力を得ていたところ、請求項１に係る考案によれば、磁石によって復元力を得るようにしたので、バネに比べて復元力を細かく調整することができる。
【００１２】
請求項２に係る考案によれば、天板と底板の各対向面に対向面に対して垂直に設けた複数の支柱に、より詳しくは支柱を構成する複数の支柱部材の間に弾性体を差し入れたので、三脚が垂直方向に小さく揺れ動いても、その揺れを弾性体に吸収させることができる。そのため、三脚が垂直方向に小さく揺れ動いても、ビデオカメラやフィルムカメラが垂直方向に揺れるのを防ぐことができる。
【００１３】
また、請求項２に係る考案によれば、支柱部材の長さを違えたので、例えば天板と底板に各３本の支柱を設けると、天板を反時計回りに１２０度ずつ回転させて、支柱が弾性部材と接する本数を３本、２本、１本と変えることができる。そのため、ビデオカメラやフィルムカメラの重さに応じて支柱が弾性部材と接する本数を変えると、例えば重いビデオカメラほど接する本数を増やすと、ビデオカメラの自重を支えられるようになるので、防振装置をいろいろな重さのビデオカメラやフィルムカメラに対応させることができる。
【００１４】
さらに、請求項２に係る考案によれば、磁石を３枚重ねの底板のうち雲台側の底板と三脚側の底板の各対向面に引き合うように配置するとともに、支柱を構成する複数の支柱部材の間に弾性体を差し入れたので、三脚が水平方向や垂直方法に小さく揺れ動いても、ビデオカメラやフィルムカメラが水平方向や垂直方法に揺れるのを防ぐことができる。
【図面の簡単な説明】
【００１５】
【図１】実施形態に係るビデオカメラ又はフィルムカメラ用防振装置の使用状態を示す斜視図である。
【図２】実施形態に係るビデオカメラ又はフィルムカメラ用防振装置の斜視図である。
【図３】磁石の間隔を調整する仕組みを説明する斜視図であり、（ａ）は（ｂ）より軽いビデオカメラの取り付け状態を示す斜視図であり、（ｂ）は（ａ）より重いビデオカメラの取り付け状態を示す斜視図である。
【図４】支柱がバネと接する本数を変える仕組みを説明する斜視図であり、（ａ）は３本の支柱がバネと接する場合を示す斜視図であり、（ｂ）は２本の支柱がバネと接する場合を示す斜視図であり、（ｃ）は１本の支柱がバネと接する場合を示す斜視図である。
【考案を実施するための形態】
【００１６】
まず、この考案の創作の基礎となる事項について簡単に説明する。考案者は、テレビ番組や映画などの映像制作会社に、映像の制作に必要な機材、例えば移動式撮影機台（移動撮影の際に用いる小型の台車のこと。以下、ドリーという）などを貸し出している。考案者は、貸し出しを通じて、ドリーを用いた撮影や、車内にビデオカメラを置いた撮影では、ドリーや車体の走行による振動が三脚からビデオカメラやフィルムカメラに伝わるために映像がぶれやすく、この映像ぶれが映像制作者を困らせていることに着目した。
【００１７】
そして、考案者は、ビデオカメラ又はフィルムカメラ用防振装置をいろいろな重さのビデオカメラやフィルムカメラに対応できるようにすると、一台のビデオカメラ又はフィルムカメラ用防振装置で貸出先や購入先が所有している複数のビデオカメラやフィルムカメラに使えることを見いだし、この考案を創作するに至ったものである。
【００１８】
次に、この考案の実施形態について、適宜図面を参照しながら詳細に説明する。図１は、実施形態に係るビデオカメラ又はフィルムカメラ用防振装置の使用状態を示す斜視図である。図１に示すように、ビデオカメラ又はフィルムカメラ用防振装置１は、雲台Ｐと三脚Ｔとの間に取り付けられ、ドリーＤの走行による振動を三脚ＴからビデオカメラＣに伝えないようにする装置である。
【００１９】
図２は、実施形態に係るビデオカメラ又はフィルムカメラ用防振装置１の斜視図である。図２に示すように、ビデオカメラ又はフィルムカメラ用防振装置１は、雲台Ｐ（図１参照）を取り付ける天板２と、三脚Ｔ（図１参照）に取り付けられる３枚重ねの底板３と、その底板３のうち雲台側の底板３ａと三脚側の底板３ｃの各対向面に引き合うように配置された磁石４と、天板２と雲台側の底板３ａの各対向面に対向面に対して垂直に設けられた複数の同じ長さの支柱５とを有して構成されている。
【００２０】
天板２は、ここでは鍔（つば）付きの帽子を逆様にしたような形の板で、その凹（くぼ）みに図示しない雲台Ｐのボールマウントを嵌（は）め入れるようになっている。
【００２１】
底板３は、四角形の板で、３枚重ねの底板３のうち雲台側の底板３ａが、図示しないスライドガイドによって三脚側の底板３ｃの上を縦方向と横方向にすり動くように間を離して取り付けられている。
【００２２】
磁石４は、ここでは円盤状のネオジム磁石で、雲台側の底板３ａと三脚側の底板３ｃの各対向面に引き合うように、ここでは一個ずつ配置されている。より詳しくは、磁石４ａは、雲台側の底板３ａの裏面に磁石４ｂとの間隔を調整できるようにネジ付けされている。一方、磁石４ｂは、図中に二点鎖（想像線）で示すように、三脚側の底板３ｃの表面に固定されている。
【００２３】
支柱５は、円柱形の棒で、ここでは雲台側の底板３ａの中心から１２０度の等間隔に３本の支柱５ａ，５ｂ，５ｃが配置されている。支柱５ａ，５ｂ，５ｃは、それぞれの支柱５ａ，５ｂ，５ｃの間で長さが違う複数の支柱部材、ここでは支柱５ａ，５ｂ，５ｃ当たり２本の支柱部材から成る。そして、支柱部材の間には、弾性体、ここでは同じ長さのバネ６が差し入れられている。
【００２４】
筒体７は、支柱５の外径より一回り大きな内径の筒で、例えば筒体７を雲台側の底板３ａに取り付けられた支柱５にかぶせた状態で、筒体７にバネ６と天板２に取り付けられた支柱５を差し入れて、筒体７内を支柱５とバネ６がすり動くように組み付けている。
【００２５】
以上のように構成されたビデオカメラ又はフィルムカメラ用防振装置１では、磁石４ａ，４ｂが雲台側の底板３ａと三脚側の底板３ｃの各対向面に引き合うように配置されているために、三脚Ｔ（図１参照）から伝わる水平方向の小さな揺れは、磁石４ａ，４ｂの吸引力によって吸収される。このときビデオカメラＣは、カメラマンによって軽く動かせるように保持されているために、ドリーＤの走行による水平方向の振動が三脚ＴからビデオカメラＣに伝わりにくい。
【００２６】
また、以上のように構成されたビデオカメラ又はフィルムカメラ用防振装置１では、バネ６が支柱５を構成する複数の支柱部材の間に差し入れられているために、三脚Ｔ（図１参照）から伝わる垂直方向の小さな揺れは、バネ６によって吸収される。このときビデオカメラＣは、カメラマンによって軽く動かせるように保持されているために、ドリーＤの走行による垂直方向の振動が三脚ＴからビデオカメラＣに伝わりにくい。
【００２７】
引き続き、ビデオカメラ又はフィルムカメラ用防振装置１がいろいろな重さのビデオカメラやフィルムカメラに対応できる仕組みについて、適宜図面を参照しながら詳細に説明する。図３は、磁石４ａ，４ｂの間隔を調整する仕組みを説明する斜視図であり、（ａ）は（ｂ）より軽いビデオカメラの取り付け状態を示す斜視図であり、（ｂ）は（ａ）より重いビデオカメラの取り付け状態を示す斜視図である。
【００２８】
図３の（ａ）に示すように、磁石４ａは、雲台側の底板３ａの裏面に磁石４ｂとの間隔を調整できるようにネジ付けされている。一方、磁石４ｂは、三脚側の底板３ｃの表面に固定されている。そして、磁石４ａは、ビデオカメラ、ここでは図３の（ｂ）より軽いビデオカメラを取り付けた状態で、磁石４ａ，４ｂの引き合う力が復元力を保ちながら、カメラマンがビデオカメラＣを軽く動かせるような力になるように、ネジを回して磁石４ｂとの間隔が調整されている。
【００２９】
図３の（ｂ）に示すように、図３の（ａ）より重いビデオカメラに取り替える場合には、ネジを回して磁石４ａを矢印で示すように磁石４ｂの方へ移動させ、磁石４ａ，４ｂの引き合う力が復元力を保ちながら、カメラマンがビデオカメラＣを軽く動かせるような力になるように磁石４ｂとの間隔が調整される。
【００３０】
図３の（ａ），（ｂ）に示すように、ビデオカメラ又はフィルムカメラ用防振装置１では磁石４ａが磁石４ｂとの間隔を調整できるようにネジ付けされているために、ビデオカメラＣの重さに応じてネジを回すと、磁石４ａ，４ｂの間隔を調整でき、磁石４ａ，４ｂの引き合う力を調整できる。
【００３１】
図４は、支柱５がバネ６と接する本数を変えられる仕組みを説明する斜視図であり、（ａ）は３本の支柱５がバネ６と接する場合を示す斜視図であり、（ｂ）は２本の支柱５がバネ６と接する場合を示す斜視図であり、（ｃ）は１本の支柱５がバネ６と接する場合を示す斜視図である。そして、図４の（ａ）は（ｂ）より重いビデオカメラの取り付け状態を示し、（ｂ）は（ａ）より軽いビデオカメラの取り付け状態を示し、（ｃ）は（ｂ）より軽いビデオカメラの取り付け状態を示す。
【００３２】
図４の（ａ）に示すように、支柱５（図２参照）は、雲台側の底板３ａの中心から１２０度の等間隔に３本の支柱５ａ，５ｂ，５ｃが配置されている。支柱５ａ，５ｂ，５ｃは、それぞれの支柱の間で長さが違う、支柱１本当たり２本の支柱部材５１ａ，５２ａ，５１ｂ，５２ｂ，５１ｃ，５２ｃから成る。そして、支柱部材５１ａ，５２ａ，５１ｂ，５２ｂ，５１ｃ，５２ｃの間には、同じ長さのバネ６が差し入れられている。ここでは、支柱５がバネ６と接する本数を変えられる仕組みを説明するのに便利なように、支柱部材５１ａを７ｃｍ、支柱部材５２ａを２ｃｍ、支柱部材５１ｂを８ｃｍ、支柱部材５２ｂを１ｃｍ、支柱部材５１ｃを６ｃｍ、支柱部材５２ｃを３ｃｍ、バネ６を１ｃｍとして説明する。
【００３３】
図４の（ａ）に示すように、支柱部材５１ａ，５２ａとバネ６は１０ｃｍ、支柱部材５１ｂ，５２ｂとバネ６は１０ｃｍ、支柱部材５１ｃ，５２ｃバネ６は１０ｃｍの長さになることから、３対の支柱部材５１ａ，５２ａ，５１ｂ，５２ｂ，５１ｃ，５２ｃ、すなわち３本の支柱５がバネ６と接している。
【００３４】
図４の（ｂ）に示すように、支柱部材５１ａ，５１ｂ，５１ｃが取り付けられている天板２を、矢印で示すように反時計回りに１２０度回転させると、支柱部材５１ｂ，５２ａとバネ６は１１ｃｍ、支柱部材５１ｃ，５２ｂとバネ６は８ｃｍ、支柱部材５１ａ，５２ｃとバネ６は１１ｃｍの長さになることから、２対の支柱部材５１ｂ，５２ａ，５１ａ，５２ｃ、すなわち２本の支柱５がバネ６と接するようになる。
【００３５】
図４の（ｃ）に示すように、支柱部材５１ａ，５１ｂ，５１ｃが取り付けられている天板２を、さらに反時計回りに１２０度、矢印で示すように図４の（ａ）対して２４０度回転させると、支柱部材５１ｃ，５２ａとバネ６は９ｃｍ、支柱部材５１ａ，５２ｂとバネ６は９ｃｍ、支柱部材５１ｂ，５２ｃとバネ６は１２ｃｍの長さになることから、１対の支柱部材５１ｂ，５２ｃ、すなわち１本の支柱５がバネ６と接するようになる。
【００３６】
図４の（ａ），（ｂ），（ｃ）に示すように、ビデオカメラ又はフィルムカメラ用防振装置１では、支柱５ａ，５ｂ，５ｃを構成する支柱部材５１ａ，５２ａ，５１ｂ，５２ｂ，５１ｃ，５２ｃの長さを違えているために、天板２を反時計回りに１２０度ずつ回転させると、バネ６と接する支柱５の本数を３本、２本、１本と変えられる。そのため、バネ６の弾性力がビデオカメラＣの重さに応じて、ビデオカメラＣの自重を支えつつ、ドリーＤの走行による垂直方向の振動を吸収できるような力になるようにバネ６と接する支柱５の本数を３本、２本、１本と変えられる。
【００３７】
以上、この考案の実施形態について説明したが、この考案は前記実施形態には限定されない。例えば、実施形態に係るビデオカメラ又はフィルムカメラ用防振装置１では、支柱部材５１ａを７ｃｍ、支柱部材５２ａを２ｃｍ、支柱部材５１ｂを８ｃｍ、支柱部材５２ｂを１ｃｍ、支柱部材５１ｃを６ｃｍ、支柱部材５２ｃを３ｃｍ、バネ６を１ｃｍとして説明したが、少なくとも各支柱の間で支柱部材の長さが違えばよい。
【００３８】
また、実施形態に係るビデオカメラ又はフィルムカメラ用防振装置１では、支柱５を複数の支柱部材５１，５２から成り、支柱部材５１，５２の間にバネ６が差し入れられていると説明したが、特に水平方向の振動を防ぐ場合には、支柱を一本の棒にしてもかまわない。
【００３９】
また、実施形態に係るビデオカメラ又はフィルムカメラ用防振装置１では、弾性体をバネ６と説明したが、例えばガススプリングでも構わない。
【００４０】
この考案において三脚とは、３本足の台のほか一脚を含む。さらに、この考案において三脚とは、ビデオカメラやフィルムカメラを安定して保持できるようにドリーや車内に設けた台も含む。
【００４１】
この考案においてフィルムカメラとは、映画用の長巻フィルム用のカメラをいう。
【符号の説明】
【００４２】
１    ビデオカメラ又はフィルムカメラ用防振装置
２    天板
３    底板
３ａ  雲台側の底板
３ｃ  三脚側の底板
４    磁石
５    支柱
６    バネ
７    筒体
【図１】
0003169716.tif 000003
【図２】
0003169716.tif 000004
【図３】
0003169716.tif 000005
【図４】
0003169716.tif 000006